(57)【特許請求の範囲】
【請求項１】
円形ステープリング装置のための装填ユニットであって、前記装填ユニットは、
一対の第１の開口部および一対の第２の開口部を画定する筐体であって、前記第１の開口部は、前記第２の開口部より大きい、筐体と、
前記筐体内で動作可能に受容されるプッシャアセンブリであって、前記プッシャアセンブリは、前記筐体内で第１の位置から第２の位置に移動可能である、プッシャアセンブリと、
前記筐体の遠位端上に配置されたステープルカートリッジであって、複数のステープルを含むステープルカートリッジと、
前記第１の位置から前記第２の位置への前記プッシャアセンブリの移動を防止するように、前記筐体の遠位端上に動作可能に受容される送り出し部材であって、前記送り出し部材は、第１の配向および第２の配向において前記筐体上に受容可能であり、前記第１の配向では、前記送り出し部材は、前記筐体に取り外し可能に固着され、前記第２の配向では、前記送り出し部材は、前記筐体に固定して固着される、送り出し部材と
を備え、
前記送り出し部材は、係止特徴を含み、前記係止特徴は、前記一対の第１の開口部内に取り外し可能に固着可能であり、かつ、前記一対の第２の開口部内に固定して固着可能である、装填ユニット。
【請求項２】
前記送り出し部材は、
基部部分と、
前記基部部分から延在する一対の脚部と
をさらに含み、
前記係止特徴は、前記一対の脚部のそれぞれの自由端上に配置されている、請求項１に記載の装填ユニット。
【請求項３】
前記送り出し部材の前記基部部分は、前記ステープルカートリッジに隣接して配置されるように構成された内側表面を含み、前記基部部分の前記内側表面は、前記複数のステープルを前記ステープルカートリッジ内に維持するように構成されている、請求項２に記載の装填ユニット。
【請求項４】
前記送り出し部材は、前記基部部分から近位に延在する保定部分をさらに含み、前記保定部分は、前記プッシャアセンブリに係合するように構成されている、請求項２に記載の装填ユニット。
【請求項５】
前記保定部分は、少なくとも１つの延在部を含む、請求項４に記載の装填ユニット。
【請求項６】
前記少なくとも１つの延在部は、一対の延在部を含む、請求項５に記載の装填ユニット。
【請求項７】
各係止特徴は、一対のフランジを含む、請求項２に記載の装填ユニット。
【請求項８】
前記一対のフランジのそれぞれは、内向きに撓曲することにより、前記第２の開口部のうちの１つの中への前記フランジの進入を促進するように構成されている、請求項７に記載の装填ユニット。
【請求項９】
各フランジは、そこから半径方向外向きに延在する突起を含む、請求項８に記載の装填ユニット。
【請求項１０】
前記一対の脚部の各脚部は、ユーザによる動作可能な係合を促進するためのタブを含む、請求項２に記載の装填ユニット。
【請求項１１】
外科手術ステープリングデバイスであって、
本体部分と、
前記本体部分に取り外し可能に固着される装填ユニットであって、前記装填ユニットは、前記装填ユニット内で第１の位置から第２の位置に移動可能であるプッシャアセンブリを含む、装填ユニットと、
前記プッシャアセンブリの前記第１の位置から前記第２の位置への移動を防止するように、前記装填ユニットの遠位端上に動作可能に受容される送り出し部材であって、前記送り出し部材は、第１の配向および第２の配向において前記装填ユニット上に受容可能であり、前記第１の配向では、前記送り出し部材は、前記装填ユニットに取り外し可能に固着され、前記第２の配向では、前記送り出し部材は、前記装填ユニットに固定して固着され、前記第２の配向では、前記送り出し部材は、前記本体部分からの前記装填ユニットの分離をもたらす、送り出し部材と
を備える、デバイス。
【請求項１２】
前記本体部分は、駆動アセンブリを含み、前記プッシャアセンブリは、前記駆動アセンブリに取り外し可能に固着される、請求項１１に記載の外科手術ステープリングデバイス。
【請求項１３】
前記送り出し部材と前記プッシャアセンブリとの係合は、前記プッシャアセンブリを前記駆動アセンブリから係合解除させる、請求項１２に記載の外科手術ステープリングデバイス。
【請求項１４】
前記送り出し部材は、前記プッシャアセンブリに係合するための少なくとも１つの保定部分を含む、請求項１３に記載の外科手術ステープリングデバイス。
【請求項１５】
前記装填ユニットは、筐体を含み、前記少なくとも１つの保定特徴は、突起を含み、前記突起は、前記送り出し部材が前記第２の配向にあるとき、前記筐体に係合することにより、前記送り出し部材を前記筐体に固定して固着する、請求項１４に記載の外科手術ステープリングデバイス。
【発明の詳細な説明】
【技術分野】
【０００１】
（技術分野）
本開示は、交換可能装填ユニットを含む、外科手術ステープリングデバイスに関する。より具体的には、装填ユニットからの送り出し部材の取り外しに先立って、装填ユニットの発射を防止し、外科手術ステープリングデバイスから装填ユニットの取り外しを促進する、送り出し部材に関する。
【背景技術】
【０００２】
（背景）
円形ステープリング装置は、一般に、円形吻合によって管状組織区分を継合するために使用される。典型的には、円形ステープリング装置は、ステープルの円形アレイを組織に適用するための装填ユニットを含む。装填ユニットは、典型的には、発射後に交換可能であって、円形ステープリング装置の再使用を可能にする。装填ユニットの送り出し（ｓｈｉｐｐｉｎｇ）、および円形ステープリング装置への取付けの間、装填ユニット内のプッシャおよびナイフアセンブリは、誤整列されるようになり、円形ステープリング装置への装填ユニットの適切な取付けを防止し得る。さらに、いったん発射されると、装填ユニットは、空の装填ユニットの後続発射を防止するための任意の機構を含まず、および／または円形ステープリング装置からの装填ユニットの取り外しを促進する。外科手術ステープリング装置への装填ユニットの適切な取付けを確実にし、空の装填ユニットの発射を防止し、円形ステープリング装置からの装填ユニットの分離を促進するために、装填ユニットを動作可能状態に維持し、発射後、装填ユニットに再び取り付けられる、送り出し部材を提供することが望ましいであろう。
【発明の概要】
【課題を解決するための手段】
【０００３】
（要旨）
円形ステープリング装置のための装填ユニットが、提供される。装填ユニットは、一対の第１の開口部および一対の第２の開口部を画定する、筐体と、筐体内に動作可能に受容され、筐体内で第１の位置から第２の位置に移動可能である、プッシャアセンブリと、筐体の遠位端上に配置され、複数のステープルを含む、ステープルカートリッジと、筐体の遠位端上に動作可能に受容され、第１の位置から第２の位置へのプッシャアセンブリの移動を防止する、送り出し部材とを含む。筐体の第１の開口部は、第２の開口部より大きくてもよい。送り出し部材は、第１の配向および第２の配向において筐体上に受容可能であってもよい。第１の配向では、送り出し部材は、筐体に取り外し可能に固着されてもよく、第２の配向では、送り出し部材は、筐体に固定して固着されてもよい。
【０００４】
一実施形態では、送り出し部材は、基部部分、基部部分から延在する一対の脚部と、対の脚部のそれぞれの自由端上に配置される、係止特徴とを含む。係止特徴は、対の第１の開口部内に取り外し可能に固着可能であって、対の第２の開口部内に固定して固着可能であってもよい。送り出し部材の基部部分は、ステープルカートリッジに隣接して配置されるように構成される、内側表面を含んでもよい。基部部分の内側表面は、複数のステープルをステープルカートリッジ内に維持するように構成されてもよい。送り出し部材はさらに、基部部分から近位に延在する、保定部分を含んでもよい。保定部分は、プッシャアセンブリに係合するように構成されてもよい。保定部分は、少なくとも１つの延在部を含んでもよい。少なくとも１つの延在部は、一対の延在部を含んでもよい。各係止特徴は、一対のフランジを含んでもよく、対のフランジはそれぞれ、内向きに撓曲し、第２の開口部のうちの１つの中へのフランジの進入を促進するように構成されてもよい。各フランジは、そこから半径方向外向きに延在する突起を含んでもよい。対の脚部の各脚部は、ユーザによる動作可能な係合を促進するためのタブを含んでもよい。
【０００５】
外科手術ステープリングデバイスもまた、提供される。外科手術ステープリングデバイスは、本体部分と、本体部分に取り外し可能に固着される装填ユニットと、装填ユニットの遠位端上に動作可能に受容される、送り出し部材とを含む。送り出し部材は、第１の配向および第２の配向において装填ユニット上に受容可能であってもよい。第２の配向では、送り出し部材は、本体部分からの装填ユニットの分離をもたらしてもよい。装填ユニットは、プッシャアセンブリを含んでもよく、本体部分は、駆動アセンブリを含んでもよく、プッシャアセンブリは、駆動アセンブリに取り外し可能に固着されてもよい。送り出し部材とプッシャアセンブリの係合は、プッシャアセンブリを駆動アセンブリから係合解除させてもよい。送り出し部材は、プッシャアセンブリに係合するための少なくとも１つの保定部分を含んでもよい。装填ユニットは、筐体を含んでもよく、少なくとも１つの保定特徴は、突起を含んでもよい。突起は、送り出し部材が第２の配向にあるとき、筐体に係合し、送り出し部材を筐体に固定して固着してもよい。
【０００６】
また、提供されるのは、組織をステープリングする方法である。本方法は、装填ユニットを外科手術ステープリングデバイスに取り付けるステップであって、装填ユニットは、第１の配向においてそこに固着される送り出し部材を含む、ステップと、送り出し部材を装填ユニットから除去するステップと、外科手術ステープリングデバイスおよび装填ユニットを用いてステープリング手技を行うステップと、第２の配向において送り出し部材を装填ユニットに固着するステップとを含む。本方法はさらに、第２の配向において送り出し部材を装填ユニットに固着するステップに続いて、装填ユニットを外科手術ステープリングデバイスから分離するステップを含んでもよい。送り出し部材を装填ユニットに固着するステップは、送り出し部材の保定部分と装填ユニットのプッシャアセンブリを係合することを含んでもよい。送り出し部材の保定部分とプッシャアセンブリを係合するステップは、プッシャアセンブリを外科手術ステープリングデバイスの駆動アセンブリから係合解除させることを含んでもよい。
例えば、本願は以下の項目を提供する。
（項目１）
円形ステープリング装置のための装填ユニットであって、
一対の第１の開口部および一対の第２の開口部を画定する、筐体であって、前記第１の開口部は、前記第２の開口部より大きい、筐体と、
前記筐体内で動作可能に受容され、前記筐体内で第１の位置から第２の位置に移動可能である、プッシャアセンブリと、
前記筐体の遠位端上に配置され、複数のステープルを含む、ステープルカートリッジと、
前記筐体の遠位端上に動作可能に受容され、前記第１の位置から前記第２の位置への前記プッシャアセンブリの移動を防止する、送り出し部材であって、前記送り出し部材は、第１の配向および第２の配向において前記筐体上に受容可能であって、前記第１の配向では、前記送り出し部材は、前記筐体に取り外し可能に固着され、前記第２の配向では、前記送り出し部材は、前記筐体に固定して固着される、送り出し部材と、
を備える、装填ユニット。
（項目２）
前記送り出し部材は、
基部部分と、
前記基部部分から延在する一対の脚部と、
前記対の脚部のそれぞれの自由端上に配置される、係止特徴であって、前記対の第１の開口部内に取り外し可能に固着可能であって、前記対の第２の開口部内に固定して固着可能である、係止特徴と、
を備える、項目１に記載の装填ユニット。
（項目３）
前記送り出し部材の基部部分は、前記ステープルカートリッジに隣接して配置されるように構成される、内側表面を含み、前記基部部分の内側表面は、前記複数のステープルを前記ステープルカートリッジ内に維持するように構成される、項目１に記載の装填ユニット。
（項目４）
前記送り出し部材はさらに、前記基部部分から近位に延在する、保定部分を含み、前記保定部分は、前記プッシャアセンブリに係合するように構成される、項目１に記載の装填ユニット。
（項目５）
前記保定部分は、少なくとも１つの延在部を含む、項目４に記載の装填ユニット。
（項目６）
前記少なくとも１つの延在部は、一対の延在部を含む、項目５に記載の装填ユニット。
（項目７）
各係止特徴は、一対のフランジを含む、項目２に記載の装填ユニット。
（項目８）
前記対のフランジはそれぞれ、内向きに撓曲し、前記第２の開口部のうちの１つの中への前記フランジの進入を促進するように構成される、項目７に記載の装填ユニット。
（項目９）
各フランジは、そこから半径方向外向きに延在する突起を含む、項目８に記載の装填ユニット。
（項目１０）
前記対の脚部の各脚部は、ユーザによる動作可能係合を促進するためのタブを含む、項目２に記載の装填ユニット。
（項目１１）
外科手術ステープリングデバイスであって、
本体部分と、
前記本体部分に取り外し可能に固着される装填ユニットと、
前記装填ユニットの遠位端上に動作可能に受容される、送り出し部材であって、前記送り出し部材は、第１の配向および第２の配向において前記装填ユニット上に受容可能であって、前記第２の配向では、前記送り出し部材は、前記本体部分からの前記装填ユニットの分離をもたらす、送り出し部材と、
を備える、デバイス。
（項目１２）
前記装填ユニットは、プッシャアセンブリを含み、前記本体部分は、駆動アセンブリを含み、前記プッシャアセンブリは、前記駆動アセンブリに取り外し可能に固着される、項目１に記載の外科手術ステープリングデバイス。
（項目１３）
前記送り出し部材と前記プッシャアセンブリの係合は、前記プッシャアセンブリを前記駆動アセンブリから係合解除させる、項目１２に記載の外科手術ステープリングデバイス。
（項目１４）
前記送り出し部材は、前記プッシャアセンブリに係合するための少なくとも１つの保定部分を含む、項目１３に記載の外科手術ステープリングデバイス。
（項目１５）
前記装填ユニットは、筐体を含み、前記少なくとも１つの保定特徴は、突起を含み、前記突起は、前記送り出し部材が前記第２の配向にあるとき、前記筐体に係合し、前記送り出し部材を前記筐体に固定して固着する、項目１４に記載の外科手術ステープリングデバイス。
（項目１６）
組織をステープリングする方法であって、
装填ユニットを外科手術ステープリングデバイスに取り付けるステップであって、前記装填ユニットは、第１の配向においてそこに固着される送り出し部材を含む、ステップと、
前記送り出し部材を前記装填ユニットから除去するステップと、
前記外科手術ステープリングデバイスおよび前記装填ユニットを用いてステープリング手技を行うステップと、
第２の配向において前記送り出し部材を前記装填ユニットに固着するステップと、
を含む、方法。
（項目１７）
前記第２の配向において前記送り出し部材を前記装填ユニットに固着するステップに続いて、前記装填ユニットを前記外科手術ステープリングデバイスから分離するステップをさらに含む、項目１６に記載の方法。
（項目１８）
前記送り出し部材を前記装填ユニットに固着するステップは、前記送り出し部材の保定部分と前記装填ユニットのプッシャアセンブリを係合することを含む、項目１６に記載の方法。
（項目１９）
前記送り出し部材の保定部分と前記プッシャアセンブリを係合するステップは、前記プッシャアセンブリを前記外科手術ステープリングデバイスの駆動アセンブリから係合解除させることを含む、項目１８に記載の方法。
【図面の簡単な説明】
【０００７】
本明細書内に組み込まれ、その一部を構成する、付随の図面は、本開示の実施形態を図示し、前述の本開示の一般的説明および後述の発明の詳細な説明とともに、本開示の原理を説明する役割を果たす。
【０００８】
【図１】図１は、本開示のある実施形態による、装填ユニットと、装填ユニットに固着される、本開示のある実施形態による、送り出し部材とを含む、外科手術ステープリングデバイスの斜視側面図である。
【図２】図２は、図１に示される識別された面積の斜視図である。
【図３】図３は、外科手術ステープリングデバイスから分離され、送り出し部材が除去されている、図１および２に示される装填ユニットの斜視側面図である。
【図４】図４は、図１−３に示される装填ユニットのプッシャ部材の斜視図である。
【図５】図５は、図２に示される線５−５に沿った断面側面図である。
【図６】図６は、図１および２に示される送り出し部材の斜視図である。
【図７】図７は、第１の配向において装填ユニットに取り付けられる図６に示される送り出し部材を含む、図１−３に示される装填ユニットの断面側面図である。
【図８】図８は、図７に示される指示面積の拡大図である。
【図９】図９は、第２の配向において装填ユニットに取り付けられる図６に示される送り出し部材を含む、図１−３に示される装填ユニットの断面側面図である。
【図１０】図１０は、図９に示される指示面積の拡大図である。
【発明を実施するための形態】
【０００９】
（詳細な説明）
ここで、本開示の装填ユニットおよび送り出し部材の実施形態が、類似参照番号がいくつかの図のそれぞれにおいて同じまたは対応する要素を指定する図面を参照して、詳細に説明される。当技術分野において一般的であるように、用語「近位」は、ユーザまたはオペレータ、すなわち、外科医または臨床医により近い部分もしくは構成要素を指す一方、用語「遠位」は、ユーザからより遠い部分または構成要素を指す。
【００１０】
図１を参照すると、外科手術ステープリングデバイス１０は、概して、装填ユニット１００として示される、本開示のある実施形態による、交換可能装填ユニットと、概して、送り出しキャップ２００として示される、本開示のある実施形態による、送り出し部材とを含む。装填ユニット１００は、外科手術ステープリングデバイス１０の作動ユニット１２の伸長本体１６に動作可能に接続されて示される。例示的作動ユニット１２の詳細な説明については、共同所有の米国特許第８，５９０，７６３号（「第’７６３号特許」）を参照されたい（その内容は、参照することによってその全体として本明細書に組み込まれる）。
【００１１】
図１および２を参照すると、送り出しキャップ２００は、選択的に、装填ユニット１００の遠位端上に受容され、ステープル「Ｓ」（図４）を装填ユニット１００のステープルカートリッジ１２０（図４）内に維持し、作動ユニット１２の伸長本体１６への装填ユニット１００の取付けに先立っておよびその間におけるプッシャ部材１３０（図４）の早過ぎる前進を防止するように動作する。加えて、送り出しキャップ２００は、いったん送り出しキャップ２００が装填ユニット１００に再び取り付けられると、装填ユニット１００の再発射を防止するように動作する。加えて、装填ユニット１００の発射後の装填ユニット１００への送り出しキャップ２００の再取付けは、以下にさらに詳細に説明されるように、作動ユニット１２の伸長本体１６からの装填ユニット１００の分離を促進する。
【００１２】
装填ユニット１００は、送り出しキャップ２００を参照して説明され、送り出しキャップ２００は、装填ユニット１００を参照して説明されるが、本開示の側面は、異なる構成を有する装填ユニットおよび送り出しキャップと併用するように修正されてもよいことが想定される。装填ユニット１００は、本開示の側面を完全に開示するために必要な範囲までのみ説明されるであろう。例示的装填ユニットのより詳細な説明については、第‘７６３号特許を参照されたい（その内容は、参照することによって本明細書の前述で組み込まれた）。
【００１３】
図２−５を参照すると、装填ユニット１００は、筐体１１０と、筐体１１０の遠位端に固着されたステープルカートリッジ１２０と、筐体１１０内に動作可能に受容されるプッシャ部材１３０（図３）とを含む。装填ユニット１００の筐体１１０は、外側円筒形部分１１２と、内側円筒形部分１１４とを含む。複数のリブ（図示せず）が、外側および内側円筒形部分１１２、１１４を相互接続する。筐体１１０の外側円筒形部分１１２および内側円筒形部分１１４は、同軸であって、プッシャ部材１３０を摺動可能に受容するように構成される、空洞１１３を画定する。筐体１１０の近位端は、作動ユニット１２の伸長本体１６、または作動ユニット１２に接続されるアダプタアセンブリ（図示せず）への選択的接続のために構成される。例えば、装填ユニット１００の筐体１１０は、バヨネット結合を用いて、または任意の好適な様式において、伸長本体１６またはアダプタアセンブリに接続してもよい。
【００１４】
特に、図２および３を参照すると、筐体１１０の外側円筒形部分１１２は、装填ユニット１００の遠位端から長手方向に離間され、外側円筒形部分１１２を通して延在する、大開口部１１５を画定する。大開口部１１５は、外側円筒形部分１１２内に相互に対向して直径方向に位置付けられ（図７）、送り出しキャップ２００の係止特徴２２６を受容するように構成される（図８）。筐体１１０の外側円筒形部分１１２はまた、装填ユニット１００の遠位端から長手方向に離間され、外側円筒形部分１１２を通って延在する、小開口部１１７を画定する。小開口部１１７は、大開口部１１５から円周方向に離間され、相互に対向して直径方向に位置付けられ（図９）、外側円筒形部分１１２を通って延在する。小開口部１１７は、送り出しキャップ２００の係止特徴２２６を固着して受容するように構成される（図８）。
【００１５】
図４および５を参照すると、装填ユニット１００のステープルカートリッジ１２０は、筐体１１０の遠位端に固着され、複数のステープルポケット１２１（図５）を含む。各ステープルポケット１２１は、複数のステープル「Ｓ」を受容および保定するように構成される。
【００１６】
装填ユニット１００のプッシャ部材１３０は、作動ユニット１２の駆動機構１８（図１）に取り外し可能に結合するように構成される、近位端１３２を含む。具体的には、プッシャ部材１３０の近位端１３２は、各アーム１３４の近位端１３４ａ上に形成されるタブ１３５を含む、一対のアーム１３４を含む。タブ１３５は、作動ユニット１２の駆動部材１８の切り欠き付き遠位端１８ａとの解放可能な係合のために構成される。以下にさらに詳細に論じられるように、アーム１３４の近位端１３４ａは、半径方向内向きに撓曲し、駆動部材１８へのプッシャ部材１３０の接続を促進し、駆動部材１８からのプッシャ部材１３０の分離を促進するように構成される。プッシャ部材１３０の遠位端１３６は、定位置において、ステープルカートリッジ１２０のステープルポケット１２１内に受容され、ステープル「Ｓ」に係合する、複数のステープルプッシャ１３６ａを含む。ステープルカートリッジ１２０内のプッシャ部材１３０の前進は、ステープルカートリッジ１２０からのステープル「Ｓ」の吐出を生じさせる。円形ナイフ１３８は、プッシャ部材１３０の遠位端１３６上のステープルプッシャ１３６ａに隣接して、プッシャ部材１３０内に形成されるシェルフ１４０（図５）に固着される。円形ナイフ１３８は、ステープルカートリッジ１２０内のプッシャ部材１３０とともに遠位に移動し、ステープル留めされた組織内の組織（図示せず）を切断するように構成される。
【００１７】
ここで特に図６を参照すると、送り出しキャップ２００は、装填ユニット１００（図２）の遠位端上に選択的に受容されるように構成される。送り出しキャップ２００は、基部部分２１０と、取付け部分２２０と、保定部分２３０とを含む。一体型構造、すなわち、一体的にまたはモノリシックに形成されるように示されるが、基部部分２１０、取付け部分２２０、および／または保定部分２３０は、独立して形成され、接着剤、溶接を用いて、または任意の他の好適な様式において、ともに固着されてもよいことが想定される。
【００１８】
送り出しキャップ２００の基部部分２１０は、円形形状を有する、実質的に平坦または平面な本体を含む。円形形状を有するように示されるが、基部部分２１０は、装填ユニット１００（図１）の断面形状に対応する任意の形状を含んでもよいことが想定される。さらに、基部部分２１０は、円錐形形状であるか、または別様に、患者（図示せず）の組織（図示せず）内への装填ユニット１００の挿入および位置付けを促進するように構成されてもよいことが想定される。
【００１９】
送り出しキャップ２００の基部部分２１０の近位対面表面２１２は、送り出しキャップ１００が、装填ユニット１００の遠位端に取り付けられ、ステープル「Ｓ」をステープルカートリッジ１２０内に保定すると、装填ユニット１００のステープルカートリッジ１２０の遠位面に当接するように構成される。ステープル保定表面２１２は、装填ユニット１００の送り出しおよび作動ユニット１２（図１）の伸長本体１６への取付けの間、ステープル「Ｓ」（図５）をステープルカートリッジ１２０（図５）のステープルポケット１２１（図５）内に保定するように動作する。装填ユニット１００のステープルカートリッジ１２０の断面形状と対応するように円形であるように示されるが、基部部分２１０のステープル保定表面２１２は、他の断面構成を有するステープルカートリッジと対応するように修正されてもよく、またはステープルカートリッジのもの以外の構成を有してもよいことが想定される。
【００２０】
送り出しキャップ２００の取付け部分２２０は、基部部分２１０から近位に延在する、一対の脚部２２０ａ、２２０ｂを含む。各脚部２２０ａ、２２０ｂは、基部部分２１０から垂直に延在する、第１の区分２２２ａ、２２２ｂと、個別の第１の区分２２２ａ、２２２ｂに対してある角度で延在する、第２の区分２２４ａ、２２４ｂとを含む。図２に見られるように、個別の脚部２２０ａ、２２０ｂの第１および第２の区分２２２ａ、２２２ｂ、２２４ａ、２２４ｂは、装填ユニット１００の筐体１１０の外側円筒形部分１１２の形状に一致する。
【００２１】
係止特徴２２６は、取付け部分２２０の脚部２２０ａ、２２０ｂの第２の区分２２４ａ、２２４ｂのそれぞれから半径方向内向きに延在する。各係止特徴２２６は、複数の内向きに変形可能なフランジ２２７を含む。一対のフランジ２２７を含むように示されるが、係止特徴２２６は、２つを上回るフランジ２２７を含んでもよいことが想定される。各フランジ２２７は、対のフランジ２２７の他のフランジ２２７に向かって撓曲するように構成される。以下にさらに詳細に説明されるように、各フランジ２２７の自由端２２７ａは、以下にさらに詳細に説明されるように、装填ユニット１００のプッシャ部材１３０のアーム１３４の外側表面に係合し、作動ユニット１２（図１）の駆動部材１８（図５）からのプッシャ部材１３０の解放を促進するように構成される。突起２２８が、各フランジ２２７から外向きに延在する。また、以下にさらに詳細に説明されるように、フランジ２２７上の突起２２８は、装填ユニット１００の筐体１１０の外側円筒形部分１１２に係合するように構成される。各脚部２２０ａ、２２０ｂは、ユーザによる係合のために構成され、装填ユニット１００の筐体１１０の外側円筒形部分１１２から離れるような脚部２２０ａ、２２０ｂの撓曲を促進し、装填ユニット１００からの送り出しキャップ２００の分離を可能にする、タブ２２９または他の特徴を含む。
【００２２】
送り出しキャップ２００の保定部分２３０は、基部部分２１０によって画定された平面から垂直に延在する。示されるように、保定部分２３０は、２つの延在部２３２を含む。保定部分２３０は、代わりに、単一延在部のみまたは２つを上回る延在部を含んでもよい。代替実施形態では、保定部分２３０は、環状延在部を含む。延在部２３２は、送り出しキャップ２００が装填ユニット１００に取り付けられると、装填ユニット１００のプッシャ部材１３０の遠位端１３６内に受容され、プッシャ部材１３０のシェルフ１４０に係合するように構成される。送り出しキャップ２００の保定部分２３０の延在部２３２と装填ユニット１００のプッシャ部材１３０のシェルフ１４０の係合は、送り出しキャップ２００が装填ユニット１００に取り付けられている間、プッシャ部材１３０の前進を防止する。
【００２３】
ここで図７および８を参照すると、送り出しキャップ２００は、装填ユニット１００に取り付けられるように示される。送り出しキャップ２００が、第１の、すなわち、発射前配向において、装填ユニット１００に取り付けられると、送り出しキャップ２００の取付け部分２２０の個別の脚部２２０ａ、２２０ｂの第２の区分２２４ａ、２２４ｂ上に形成される係止特徴２２６のフランジ２２７は、装填ユニット１００の筐体１１０の外側円筒形部分１１２内に形成される大開口部１１５内に受容される。大開口部１１５内へのフランジ２２７の受容は、送り出しキャップ２００を筐体１１０に固着する。図８に示されるように、大開口部１１５は、フランジ２２７の撓曲を伴わずに、フランジ２２７を収容するように構成される。このように、脚部部分２２０の脚部２２０ａ、２２０ｂは、筐体１１０の外側円筒形部分１１２から離れるように撓曲され、係止特徴２２６のフランジ２２７を大開口部１１５内から抜去することが可能である。したがって、送り出しキャップが装填ユニット１００の筐体１１０上で第１の配向にあるとき、送り出しキャップ２００は、装填ユニット１００に取り外し可能に固着される。第１の配向では、送り出しキャップ２００の延在部２３２は、装填ユニット１００のプッシャ部材１３０のシェルフ１４０に係合し、プッシャ部材１３０の前進を防止する。
【００２４】
装填ユニット１００は、送り出しキャップ２００が第１の配向において装填ユニット１００に取り付けられた状態で、臨床医に提供される。送り出しキャップ２００が第１の配向において装填ユニット１００に取り付けられると、装填ユニット１００は、従来の様式において、作動ユニット１２（図１）の伸長本体１６（図１）に固着され得る。前述のように、装填ユニット１００の筐体１１０は、バヨネット結合を使用して、または任意の他の好適な様式において、作動ユニット１２の伸長本体１６に接続されてもよい。プッシャ部材１３０は、駆動部材１８（図５）の切り欠き付き遠位端１８ａ（図５）内へのプッシャ部材１３０のアーム１３４の近位端上に形成されるタブ１３５の受容を通して、作動ユニット１２の駆動部材１８（図５）に接続される。いったん装填ユニット１００が、作動ユニット１２（図１）に固着されると、送り出しキャップ２００は、除去されてもよい。
【００２５】
図７および８を継続して参照すると、装填ユニット１００からの送り出しキャップ２００の除去は、図７における矢印「Ａ」によって示されるように、取付け部分２２０の脚部２２０ａ、２２０ｂを装填ユニット１００の筐体１１０の外側円筒形部分１１２から離れるように撓曲することによって遂行される。前述のように、筐体１１０の外側円筒形部分１１２内の大開口部１１５の構成は、脚部２２０ａ、２２０ｂが外側円筒形部分１１２から離れるように撓曲されるにつれて、大開口部１１５内からの脚部２２０ａ、２２０ｂの係止特徴２２６の除去を可能にする。取付け部分２２０の脚部２２０ａ、２２０ｂのそれぞれ上に形成されるタブ２２９は、臨床医による脚部２２０ａ、２２０ｂの係合、すなわち、握持を促進する。いったん脚部２２０ａ、２２０ｂが、係止特徴２２６が大開口部１１５内から完全に除去されるように、筐体１１０から十分に撓曲されると、送り出しキャップ２００は、矢印「Ｂ」によって示されるように、外側円筒形部分１１２を中心としてそこから遠位方向に摺動され、装填ユニット１００からの送り出しキャップ２００の分離をもたらすことができる。いったん送り出しキャップ２００が装填ユニット１００から分離されると、装填ユニット１００は、従来の様式において使用される。
【００２６】
外科手術ステープリングデバイス１０（図１）を使用したステープリング手技に続いて、送り出しキャップ２００は、装填ユニット１００に再び取り付けられ、装填ユニット１００の後続再発射を防止し、作動ユニット１２の伸長本体１６からの装填ユニット１００の分離を促進する。特に、送り出しキャップ２００の脚部２２０ａ、２２０ｂは、送り出しキャップ２００の延在部２３２がプッシャ部材１３０の遠位端１３６内に受容され、送り出しキャップ２００の係止特徴２２６が筐体１１０の外側円筒形部分１１２の小開口部１１７と整合するように、図９における矢印「Ｃ」によって示されるように、装填ユニット１００の両側に位置付けられる。いったん送り出しキャップ２００の係止特徴２２６が筐体１１０の外側円筒形部分１１２内に形成される小開口部１１７と整合されると、送り出しキャップ２００の取付け部分２２０の脚部２２０ａ、２２０ｂは、図９における矢印「Ｄ」によって示されるように、半径方向内向きに押動され、フランジ２２７上に形成される突起２２８を筐体１１０の外側円筒形部分１１２と係合させる。脚部２２０ａ、２２０ｂ上への半径方向内向き力の印加の継続は、係止特徴２２６のフランジ２２７を相互に向かって内向きに撓曲させ、それによって、フランジ２２７が小開口部１１７内に受容されることを可能にする。脚部２２０ａ、２２０ｂが半径方向内向きに押動され、係止特徴２２６のフランジ２２７が筐体１１０の外側円筒形部分１１２の小開口部１１７内に受容されるにつれて、フランジ２２７の自由端２２７ａは、装填ユニット１３０のプッシャ部材１３０のアーム１３４に係合する。フランジ２２７によるプッシャ部材１３０のアーム１３４の係合は、図９における矢印「Ｅ」によって示されるように、アーム１３４を半径方向内向きに撓曲させ、作動ユニット１２（図１）の駆動部材１８（図５）からの装填ユニット１００のプッシャ部材１３０の分離を促進する。
【００２７】
特に、図１０を参照すると、いったん送り出しキャップ２００の係止特徴２２６が、筐体１１０の外側円筒形部分１１２内の小開口部１１７を通して完全に受容されると、係止特徴２２６のフランジ２２７は、初期非撓曲状態に戻る。初期状態では、係止特徴２２６のフランジ２２７から延在する突起２２８は、筐体１１０の外側円筒形部分１１２の内側表面に係合する。突起２２８による外側円筒形部分１１２の係合は、小開口部１１７内からの係止特徴２２６の除去を防止し、それによって、送り出しキャップ２００を装填ユニット１００に固着する。
【００２８】
いったん送り出しキャップ２００が、第２の配向において装填ユニット１００に再び取り付けられると、装填ユニット１００は、従来の様式において、例えば、装填ユニット１００を伸長本体１６と連動して回転させることによって、作動ユニット１２（図１）の伸長本体１６（図１）から分離されることができる。付加的装填ユニット１００は、次いで、作動ユニット１２に取り付けられ、前述の様式で使用されることができる。
【００２９】
当業者は、本明細書に具体的に説明され、付随の図面に図示されるデバイスおよび方法が、非限定的例示的実施形態であることを理解するであろう。一例示的実施形態に関して図示または説明される要素および特徴は、本開示の範囲から逸脱することなく、別の実施形態の要素および特徴と組み合わせられてもよいことが想定される。同様に、当業者は、前述の実施形態に基づいて、本開示のさらなる特徴および利点を理解するであろう。故に、本開示は、添付の請求項によって示されるものを除き、特に図示および説明されたものによって限定されないものとする。
【図１】
0006405041.tif 000002
【図２】
0006405041.tif 000003
【図３】
0006405041.tif 000004
【図４】
0006405041.tif 000005
【図５】
0006405041.tif 000006
【図６】
0006405041.tif 000007
【図７】
0006405041.tif 000008
【図８】
0006405041.tif 000009
【図９】
0006405041.tif 000010
【図１０】
0006405041.tif 000011